(57)【要約】      （修正有）【課題】折り畳み式保冷箱において、断熱箱体へと素早く折り上げることができ、しかも十分な保冷機能を有するもので、また、保冷箱の中から水分が滲み出ないように工夫した簡易保冷箱を提供する。【解決手段】底部３０、前後の側壁部、左右の側壁部および蓋部１０を有する防水シート製の中箱２０１と、底部６０、前後の側壁部、左右の側壁部および蓋部４０を有する外箱２０２とを備え、中箱２０１が前記外箱２０２によって囲繞され、かつ、中箱２０１と外箱２０２との間に空隙が形成される保冷箱２００であって、保冷箱２００の上面に取っ手２０６を設けるよう構成する。【選択図】図１３
0003114155.tif 000002
【実用新案登録請求の範囲】
【請求項１】
底部３０、前後の側壁部２０、左右の側壁部２０および蓋部１０を有する防水シート製の中箱２０１と、
底部６０、前後の側壁部５０、左右の側壁部５０および蓋部４０を有する外箱２０２とを備え、
前記中箱２０１が前記外箱２０２によって囲繞され、
かつ、前記中箱２０１と前記外箱２０２との間に空隙が形成される保冷箱２００であって、
前記保冷箱２００の上面に取っ手２０６を設けることを特徴とする手提げ保冷箱。
【請求項２】
前記中箱２０１の内部に吸水布２０４を装着することを特徴とする請求項１記載の手提げ保冷箱。
【請求項３】
前記中箱２０１の前記底部３０と前記外箱２０２の前記底部６０との間に段ボール片２０３を狭着することを特徴とする請求項１記載の手提げ保冷箱。
【考案の詳細な説明】
【技術分野】
【０００１】
本考案は、段ボール製の保冷箱に関する。詳しくは、ケーキ等の生菓子、蟹等の生鮮魚介類、精肉類、加工食品、果実、野菜、飲料用のペットボトル等の保冷を必要とするものを収納する段ボール製の簡易保冷箱であって、瞬時に折り上げることのできる折り畳み式の手提げ保冷箱に関する。
【背景技術】
【０００２】
保冷箱の使用形態は多岐にわたる。例えば、外郭がプラスチック製の頑丈な箱に氷あるいは、水と保冷剤をビニールシートで密封したパック状の凍結アイスパックを入れ、蟹等の生鮮魚介類、精肉類、加工食品、果実等を詰め込んでこれらの鮮度を保つ。このプラスチック製の頑丈な箱は、釣り用としても重宝され、飲料水、缶ビール、食料等を詰め込み、後で空になったところで釣った魚を入れて持ち帰るために使用される。また、旅先のみやげ物店等で当地の生鮮魚介類、果物等を発泡スチロール製の箱に詰め込み、その中に入れた氷やアイスパックによって鮮度を保つことが多い。あるいは、発泡スチロール、発泡ポリエチレン製の箱の中に保冷剤を入れ生鮮魚介類、果物等を宅急便（登録商標）で翌日に送り届けるためにも使用される。発泡スチロール製の保冷箱の大きさは並みのもので、幅２１ｃｍ、奥行き１５ｃｍ、高さ１７ｃｍのものがありドライアイスが１〜２Ｋｇ入る。また、大きいものでは、幅１０１ｃｍ、奥行き５９ｃｍ、高さ５０ｃｍのものがあり氷にして４０貫目入る。この大きいサイズのものは、イベント用としても使用される。このように、保冷箱は多用途に亘って便利に使用されている。
【０００３】
以上のような保冷箱に使用される断熱性積層シートが、先に提案されている（例えば、特許文献１参照）。これは、ポリエステル層の外層とポリオレフィンの内層との間にポリエチレンの中間層を介在させた断熱性積層シートであって、これに自由に折り畳み加工をして使用できるものである。
【０００４】
【特許文献１】特開平１０−３２９２８４号公報
【考案の開示】
【考案が解決しようとする課題】
【０００５】
以上の通りであって、従来の保冷箱にはまとめると次のような問題点がある。
【０００６】
即ち、問題点の第一は、外郭がプラスチック製の保冷箱は魚釣りやピクニック等アウトドアーでの使用には十分に目的を果たすが、大型なので扱いが面倒である。そして、永久使用の保冷箱なので使用しないときは置き場に困る。
【０００７】
第二に、外郭がプラスチック製の頑丈で大型の保冷箱や発泡スチロール、発泡ポリエチレン製の保冷箱は廃棄処理に困る。
【０００８】
第三に、断熱性積層シートを折り曲げ折り上げたものは、箱へ折り上げるのに迅速性を欠きお客を待たせることになる。従って、郷土物産の店頭等で使用する場合、バスツアー等の団体客は人気店に集中するので、客を逃がすことにもなりかけない。
【０００９】
第四に、通常、保冷箱には天地転倒防止の注意ラベルが貼ってないので、輸送の途中で上下転倒されがちである。その場合、中の生鮮魚介類から出る水分や氷等が解けて水分が滲み出るので、他の同送の製品を汚す。このようなことは、食品衛生上好ましくなく、ＰＬ法に抵触することにもなりかねない。また、保冷箱の内装に防水あるいは撥水性の溶剤を使用していない場合もあり、食品衛生法上問題になる。
【００１０】
そこで、本考案の簡易保冷箱は上記事情に鑑みなされたもので、折り畳み式保冷箱において、断熱箱体へと素早く折り上げることができ、しかも十分な保冷機能を有するもので、また、保冷箱の中から水分が滲み出ないように工夫した簡易保冷箱を提供することにある。
【課題を解決するための手段】
【００１１】
そこで、本考案者等は、入れ子にした箱同士の隙間あるいは段ボールの波型状芯材の隙間が断熱機能を有することに着目し、また、吸水布が氷や生鮮魚介類等から出る水分を十分吸い取り、保水することに着目した。そして、段ボールから折り上げることおよびその中に吸水布を装着することを組み合わせた保冷箱へと展開し、この着想に基づき段ボールから空隙を有する二重箱構造の箱に折り上げ、その箱のなかへ吸水布を装着することを組み合わせたところ、保冷機能を有するとともに、水分が外に滲み出ないという知見を得た。本考案の簡易保冷箱はかかる知見を基に具現化したもので、請求項１の考案は、底部３０、前後の側壁部２０、左右の側壁部２０および蓋部１０を有する防水シート製の中箱２０１と、底部６０、前後の側壁部５０、左右の側壁部５０および蓋部４０を有する外箱２０２とを備え、前記中箱２０１が前記外箱２０２によって囲繞され、かつ、前記中箱２０１と前記外箱２０２との間に空隙が形成される保冷箱２００であって、前記保冷箱２００の上面に取っ手２０６を設けることを特徴とする手提げ保冷箱である。
【００１２】
請求項２の考案は、請求項１の考案の上記特徴に加えて、前記中箱２０１の内部に吸水布２０４を装着することを特徴とする。
【００１３】
請求項３の考案は、請求項１の考案の上記特徴に加えて、前記中箱２０１の前記底部３０と前記外箱２０２の前記底部６０との間に段ボール片２０３を狭着することを特徴とする。
【００１４】
ここで、本明細書でいう「吸水布」とは、水分を素早くキャッチし、保水するための布を意味し、一般には幼児のオムツ等に使用される布である。材質はアクリル系が代表的である。オムツ用途の他に、切花の吸水パットとしても使用され、この吸水パットが吸収している水を、ラン等の切花に少しずつ供給することで開花を抑制させることができ、輸送期間中に蕾が開花して商品価値を低下させることがない。例えばアクリルを多量に含むナイロン２５％、アクリル３５％、ポリエステル２０％、レーヨン１０％、他繊維１０％からなる合成繊維製の吸水布が工業的に製造されている。
【考案の効果】
【００１５】
本考案にかかわる簡易保冷箱によれば、外箱と中箱との間に空隙が形成されるので、断熱の機能を有する。そして、中箱の中に蟹等の生鮮魚介類、精肉類、加工食品、果実、野菜等を中に詰め込み、氷、保冷剤を入れることによって鮮度を保つことができる。常時は、中箱および外箱を個々に段ボールの中間折畳み体として保管しておき、必要に応じて迅速かつコンパクトに箱体へと折り上げることができる。このことにより、店頭で生鮮食品等を箱詰めする時間を削減して客待ちの時間を最小限にする。また、中箱の中に吸水布を装着するので、輸送あるいは持ち運びの途中で水分が箱の外に滲み出るようなことがない。そして、保冷箱の上面に取っ手を設けたので、持ち運びの途中で天地転倒することがなく、また、手提げ式なので、手に持って博覧会場等で長時間並びながら、手軽に中の冷たい飲料水を飲むことができる。中箱には防水処理を施してある防水シートを採用しているので、水分により損傷することなく複数回使用できるので経済的である。
【考案を実施するための最良の形態】
【００１６】
本考案の実施の形態を、添付図面に例示した本考案の実施例に基づいて以下に具体的に説明する。
【実施例】
【００１７】
先ず、本考案の実施例ついて、図１〜図１３を参照しながら説明する。図１は、本考案の実施例に係る中箱２０１の展開図で、段ボール１０１である。図２は、同上、中間折畳み体の平面図である。図３は、同上、折り上げ途中の状態の斜視図である。図４は、同上、折り上げが進行した状態の斜視図である。図５は、同上、折り上げが完了した状態の中箱２０１の斜視図である。図６は、同上、折り上げが完了した中箱２０１を底面側から見た状態の斜視図である。図７は、同上、外箱２０２の展開図で、段ボール１０２である。図８は、同上、中間折畳み体の平面図である。図９は、同上、折り上げ途中の状態の斜視図である。図１０は、同上、折り上げが完了した状態の外箱２０２の斜視図である。図１１は、同上、外箱２０２の中に中箱２０１を装着した状態の斜視図である。図１２は、同上、折り上げが完了した状態の手提げ保冷箱２００の斜視図である。図１３は、同上、図１２のＰ−Ｐ矢視断面図である。なお、以上の平面図および断面図における上下を上下方向と称し、左右を左右方向と称する。そして、手提げ保冷箱に使用する段ボールの型式は薄いＥフルートを使用する。また、場合によっては、厚手のＢフルートの使用も可能である。そして、中箱用の段ボールは、リサイクル可能な薬剤によって防水処理が施された防水シートである。
【００１８】
図１は、本考案の実施例に係る中箱２０１の展開図を示す中箱段ボール１０１である。ほぼ矩形状をした一枚の段ボールから四隅を削り落とした形状で、所定の箇所に複数の折り目を設けてある。中箱段ボール１０１は、上下左右方向の折り目を介して真中の底部３０の上下左右に側壁部２０の側壁２１、２１、２２、２２が区分され、側壁の２１の上下に蓋部１０、１０が設けられる。そして、四隅の側壁２１と側壁２２の間に斜め方向の折り目を介して貼着片２３、２３、２３、２３が上下左右対称に設けられる。そして、重合片２４、２４、２４、２４が同様に設けられる。図中の点線は折り目を示し、底部３０の上下に折り目Ａ、Ａ、Ａと左右に折り目Ｂ、Ｂ、Ｂを設ける。そして、折り目Ａ、Ａ、Ａに平行に上下に折り目Ｃ、Ｃおよび折り目Ｂ、Ｂ、Ｂに平行に左右に折り目Ｄ、Ｄ、Ｅ、Ｅを設ける。また、折り目ＡとＢの間に斜めに折り目Ｆ、Ｆ、Ｆ、Ｆを四隅に設ける。また、側壁２２、２２の左右にはフラップ２５、２６を設ける。
【００１９】
また、図７は、外箱２０２の展開図を示す外箱段ボール１０２である。ほぼ矩形状をした一枚の段ボールから一部を削り落とした形状で、所定の箇所に複数の折り目を設けてある。外箱段ボール１０２は、左右方向の折り目に沿って、上下方向に蓋部４０、側壁部５０および底部６０に三分割される。図中の点線は折り目を示し、上下方向に蓋部、周壁部および底部に三分割されるように、折り目Ｇ、Ｇ、Ｇを左右方向に備え、これに平行に折り目Ｈ、Ｈ、Ｈそして、これらに平行に蓋部４０に折り目Ｊ、Ｊを備える。そして、二段目の側壁部５０には上記した折り目に対し直角方向に左から折り目Ｌ、Ｋ‘、Ｋ、Ｍ、切り目Ｍ‘をそれぞれ平行に備える。一段目の蓋部４０は、折れ目を介して左右に蓋面４２、４３、４２、４３に分割され、蓋面４２、４２の上には折り目Ｊを介して取手片４１、４１を備える。ニ段目の側壁部５０は、折れ目を介して左右に貼着片５３、側壁５１、５２、５１、５２に分割される。三段目の底部６０は、折り目を介して左右に底面６１、６２、６１、６２に分割され、左右の底面６１、６１には、斜めの折り目Ｓ、Ｓを介して貼着片６３、６３を備える。
【００２０】
中箱２０１および外箱２０２の展開状態を示す中箱段ボール１０１、外箱段ボール１０２は以上の構成であり、以下にそれぞれを折り上げる手順について説明する。
【００２１】
図１の中箱段ボール１０１から、貼着片２３を折り目Ｂを介して折り曲げ、側壁２１に糊付けする。底部３０の対角方向外方の四隅について同様に糊付けする。そして、図１の中箱段ボール１０１から底部３０の左右の折り目Ｂ、Ｂを介して内側へ折り畳むと中央で側壁２２、２５、２６同士が重なり、図２に示す状態になる。この状態にして例えば店頭においてコンパクトに保管する。
【００２２】
次に、上記の状態から、折り曲げ方向Ｑ、Ｑに沿って上下から中央へ折り曲げる途中の状態を図３に示す。側壁２１、２１を上下から起立させると、四箇所で側壁２１と貼着片２３とが既に糊付けされ、四隅に折り目Ｆが設けられているので、同時に側壁２２、２２が左右から手を合わせるように起き上がる。更にこの状態から、側壁２１、２１を折り曲げ方向Ｑ、Ｑに沿って曲げると、図４に示すように、同時に側壁２２、２２も起立する。更に、側壁２１、２１を起立させると、図５に示すように直方体状の中箱２０１が折り上がる。これを底面側から見ると図６のようになり、底部３０に段ボール片２０３が糊付けされている。
【００２３】
以上のとおり、中箱段ボール１０１から、四箇所で貼着片２３を折り目Ｂを介して折り曲げ、側壁２１に糊付けすることで説明したが、場合によっては、中箱段ボール１０１は、糊付けすることなくそのまま店頭にて保管することもある。
【００２４】
図７の外箱段ボール１０２において、先ず、側壁部５０の貼着片５３を側壁５２に糊付けするとともに、次に、底部６０のニ箇所の貼着片６３を底面６２に糊付けすると、側壁部５０がエンドレスに繋がり、かつ、底部６０が二箇所で糊付けされた状態になる。この状態から左方の側壁５１および側壁５２を折り目Ｋ‘、Ｍを介して裏側へ折り畳むと図８の状態になる。これは、図７の展開図を二重折りにした状態となる。この状態にして店頭においてコンパクトに保管する。
【００２５】
次に、上記の状態から、両端部の折り目Ｍと折り目Ｋ‘を左右両側から中央へ押すと、左右の二箇所の貼着片６３と底面６２とが既に糊付けされているので、箱状に側壁５１、５２、５１、５２が立ち上がり、図９に示すように二組の底面６１と６２とが相互に絡み合い底部６０を形成する状態になる。更に、この状態から左右両側の折り目Ｍと折り目Ｋ‘を中央へ押すと、既に貼着片５３が側壁５２に糊付けされて側壁部５０がエンドレスに繋がり、また、ニ箇所の貼着片６３も底面６２に糊付けされているので、二組の底面６１と６２とが絡み合って底部６０が形成されるとともに二組の側壁５１、５２が底部６０から起立し直方体状の外箱２０２が図１０に示すように折り上がる。
【００２６】
以上のとおり、外箱段ボール１０２において、側壁部５０の貼着片５３を側壁５２に糊付けするとともに、底部６０のニ箇所の貼着片６３を底面６２に糊付けすると、側壁部５０がエンドレスに繋がり、かつ、底部６０が二箇所で糊付けられた状態になる。しかしながら、場合によっては、外箱段ボール１０２は、一箇所のみ貼着片５３を側壁５２に糊付けして店頭にて保管することもある。
【００２７】
次に、外箱２０２の中へ中箱２０１を上から装着する。その状態を図１１に示す。次いで、外箱２０２の蓋部４０を前後方向から中央へ閉じると図１２に示すように直方体状の保冷箱２００が完成する。このように、中箱２０１が外箱２０２によって囲繞され、中箱２０１と外箱２０２との間に空隙が形成される。この際、保冷箱２００の上面で蓋面４２、４２が閉じられ取手片４１、４１が合わさるように起立する。そして、この取手片４１、４１が合体して形成される取っ手２０６の上辺に備える左右両端の突片４９、４９が蓋面４３、４３に備える係止孔４８、４８に挿入して係止される。また、取っ手２０６の上辺に備える左右の係止溝４７、４７に、蓋面４３、４３に備える係止溝４６、４６が係止されて取手片４１、４１の合体が外れるのを防ぐ。このようにして、保冷箱２００の上面の左右方向に取っ手２０６が?みとして形成され、手提げ式保冷箱が完成する。
【００２８】
以上のようにして、中箱段ボール１０１を外箱段ボール１０２の中に装着することにより保冷箱２００へと組み立てられる。図１２における保冷箱２００の矢視Ｐ、Ｐの断面図を図１３に示すように、中箱２０１が外箱２０２によって囲繞され、中箱２０１と外箱２０２との間の上下左右に幾つかの空隙が形成される。中箱２０１の底部３０の外面には、段ボール片２０３が糊付けされる。この段ボール片２０３は、上下に順にライナー、波状の中芯、ライナーから構成され、中芯には波状の空隙が形成される。この段ボール片２０３の左右で中箱の底部３０と外箱の底部６０との間に空隙Ｚ、Ｚが形成される。また、中箱２０１の上部は、中箱の蓋部１０と外箱の蓋部４０との間に空隙Ｗが形成される。そして、また、中箱２０１の左右は、中箱の側壁２２と外箱の側壁５２との間に空隙Ｙ、Ｙが左右に形成される。
【００２９】
以上のようにして中箱段ボール１０１、外箱段ボール１０２から中箱２０１、外箱２０２、更に保冷箱２００へと折り上げられ、次に作用について説明する。
【００３０】
中箱２０１が外箱２０２によって囲繞された保冷箱２００が完成する。そして、中箱２０１の収納スペースにケーキ等の生菓子、蟹等の生鮮魚介類、精肉類、加工食品、果実、野菜、飲料用のペットボトル等を詰め込み、次いで、保冷剤２０５を入れる。
【００３１】
「保冷剤」とは、冷凍庫で固めて氷の代用とし、食品等の低温保存や氷枕等に利用されるものをいう。高分子凝集剤や樹脂分を主成分とし、一部にエチレングリコール含有のものがある。あるいは、メタノールを含有したものが市販されている。いずれも、冷凍庫で固めれば再利用できるものである。
【００３２】
保冷箱２００の中では、保冷剤２０５の収納位置は図１３示すように、中箱２０１の側壁２２にもたれ掛けたり、底部３０の上に置いたり、あるいは、蟹等の生鮮魚介類の上やこれ等の隙間に置いても良い。
【００３３】
中箱２０１の底部３０の外面に糊付けされた段ボール片２０３は断熱層としての機能を有する。この段ボール片２０３は、表ライナーと裏ライナーとの間に、中芯がサンドイッチされたもので、この中芯は波型を有するので空気断熱層として有効である。また、保冷箱の中箱と外箱との間の上下、左右に空隙が形成される。これらの段ボール片２０３および空隙Ｗ、Ｚ、Ｙ、Ｙが、空気断熱層の機能を有する。保冷箱２００の中にデコレーションケーキ・シュークリーム・プリンなどの生菓子の他蟹、魚介類等の生鮮食品を詰め込み、次いで、保冷剤を入れることにより、中に収納する魚介類等の生鮮食品を効率良く低温に保持し鮮度を保つ。保冷機能に優れるので、旅行先から贈答用として鮮度を劣化させることなく産地直送可能である。
【００３４】
段ボールは中箱用と外箱用に別々に作製し、それぞれを図２および図８のように中間折畳み体として平板状にコンパクトにした状態で保管可能である。そして、店頭等で必要の都度瞬時にこれ等から保冷箱２００へと折り上げることができる。
【００３５】
上記のように、段ボールは中箱用と外箱用に別々に作製され、通常は、それぞれを図２および図８のような中間折畳み体として保管するが、中箱段ボール１０１は糊付けなしで、外箱段ボール１０２は一箇所のみ側壁部５０を糊付けして店頭に保管することもある。この場合、糊付け工程が少ないのでコストは安くなるが、店頭での折り上げに多少時間を要する。
【００３６】
保冷箱２００の上面に取っ手２０６を設け、これを?んで持ち運ぶので、保冷箱２００の天地を転倒することがない。従って、保冷箱２００中の氷や魚介類等の生鮮食品等から染み出た水分が外に出ることがない。ここで、取っ手２０６には、係止孔４５に係止片４５‘が挿入、係止され、この係止孔４５に指を通して手提げのようにして保冷箱２００を提げる。
【００３７】
更に、中箱の中に蟹、魚介類等の生鮮食品から滲み出た水分および氷が解けた水分を吸水するための吸水布２０４を装着することによって、吸水布に水分を保水するので、生菓子等の収納食品に水を滴下させる等商品価値を低下させるようなことがない。吸水布としては、アクリル系の繊維を使用した。１メートル四方の広さのもので約１５リットルの吸水能力がある。本実施例の保冷箱の大きさは、幅２８．５ｃｍ、奥行き１４．５ｃｍ、高さ１７ｃｍであり、ロング缶ビール６個分が入る大きさである。この保冷箱の中にこの吸水布の幅１３ｃｍ、奥行き９ｃｍのもの一枚を装着すると、水１００ミリリットルの吸水が可能だった。車で遠出のピクニック等の際、保冷箱にペットボトル等の飲料水を詰め込むことができるので重宝である。戸外での焼肉パーティでも利用できる等用途は限りない。吸水布によって、水分は中箱の中で保水されので、外箱まで滲み出る水分量は極少ない。従って、段ボールが損傷することが少なく２〜３回の使用が可能である。
【００３８】
保冷箱は段ボールから構成されているので、発泡スチロール製とは異なり法律に規制されることなく廃棄処理をすることができる。
【００３９】
保冷箱の外周面の色として赤、黄、青、緑等のカラフルな色を採用し、目的、時期、場所に応じて保冷箱の色を選択して楽しむことができる。
【産業上の利用可能性】
【００４０】
なお、本考案の使途は保冷箱の中に氷、アイスパックの他、ドライアイスを冷却媒体として使用することができる。そして、電気電子工業材料、半導体用材料等を保冷箱の中に入れて工場出荷から使用する時までに材料が変質しないように、保冷した状態で輸送するのにも使用可能である。即ち、民生用から工業分野にまで用途を拡大できるものである。
【図面の簡単な説明】
【００４１】
【図１】本考案の実施例に係る中箱２０１の展開図で、段ボール１０１である。
【図２】同上、中間折畳み体の平面図である。
【図３】同上、折り上げ途中の状態の斜視図である。
【図４】同上、折り上げが進行した状態の斜視図である。
【図５】同上、折り上げが完了した状態の中箱２０１の斜視図である。
【図６】同上、折り上げが完了した中箱２０１を底面側から見た状態の斜視図である。
【図７】同上、外箱２０２の展開図で、段ボール１０２である。
【図８】同上、中間折畳み体の平面図である。
【図９】同上、折り上げ途中の状態の斜視図である。
【図１０】同上、折り上げが完了した状態の外箱２０２の斜視図である。
【図１１】同上、外箱２０２の中に中箱２０１を装着した状態の斜視図である。
【図１２】同上、折り上げが完了した状態の手提げ保冷箱２００の斜視図である。
【図１３】同上、図１２のＰ−Ｐ矢視断面図である。
【符号の説明】
【００４２】
Ａ、Ｂ、Ｃ、Ｄ、Ｅ、Ｆ、Ｇ、Ｈ、Ｋ、Ｋ‘、Ｌ、Ｍ、Ｎ、Ｒ、Ｓ  折り目
Ｍ‘  切り目
Ｐ  矢視
Ｑ  折り曲げ方向
Ｗ、Ｙ、Ｚ  空隙
１０１  中箱段ボール
１０２  外箱段ボール
２００  保冷箱
２０１  中箱
２０２  外箱
２０３  段ボール片
２０４  吸水布
２０５  保冷剤
２０６  取っ手
１０  蓋部
２０  側壁部
２１、２２  側壁
２５、２６  フラップ
２３  貼着片
２４  重合片
３０  底部
４０  蓋部
４１  取手片
４２、４３  蓋面
４４  係止片
４５  係止孔
４５‘  係止片
４６、４７  係止溝
４８  係止孔
４９  突片
５０  側壁部
５１、５２  側壁
５３  貼着片
６０  底部
６１、６２  底面
６３  貼着片
【図１】
0003114155.tif 000003
【図２】
0003114155.tif 000004
【図３】
0003114155.tif 000005
【図４】
0003114155.tif 000006
【図５】
0003114155.tif 000007
【図６】
0003114155.tif 000008
【図７】
0003114155.tif 000009
【図８】
0003114155.tif 000010
【図９】
0003114155.tif 000011
【図１０】
0003114155.tif 000012
【図１１】
0003114155.tif 000013
【図１２】
0003114155.tif 000014
【図１３】
0003114155.tif 000015